(57)【特許請求の範囲】
【請求項１】
上面を着席した際の臀部から膝までの基本ラインに沿った波状の曲面に形成した第１クッション体と、該第１クッション体の上面に重ね合わされた第２クッション体を有し、前記第１クッション体と、第２クッション体を、後者が前者よりも柔かい材質で形成し、
前記第１クッション体の上面の後部に、前方から後方に向かって立上がる立上がり面を設け、
前記第２クッション体における臀部が位置する部分の上面に、左右方向の切り込みを形成し、該切り込みを、臀部が位置する部分の前半部と後半部に、それぞれ前後方向に適宜間隔を有して複数本形成し、前半部の切り込みの前側壁面を垂直面に、後側壁面を下方に至るにつれて前側に傾斜する傾斜面に形成し、後半部の切り込みの後側壁面を垂直面に、前側壁面を下方に至るにつれて後側に傾斜する傾斜面に形成したことを特徴とする椅子のクッション構造。
【請求項２】
前記第１クッション体を高硬度ウレタンで形成し、前記第２クッション体を低硬度ウレタンで形成した請求項１記載の椅子のクッション構造。
【請求項３】
前記第１クッション体内に、大腿部から膝部が当る部分に位置して空胴部を形成した請求項１又は２記載の椅子のクッション構造。
【発明の詳細な説明】
【技術分野】
【０００１】
本発明は椅子の座部に用いるクッション構造に関する。
【背景技術】
【０００２】
椅子に着席した場合、座り心地を良くするためには座り姿勢を理想的な形に保持し、かつ、体圧を局部的に大きくすることなく広く分散させる必要がある。
【０００３】
このようなことから、従来、下層に平板上の硬いクッション体１０１を配置し、上層に平板状の柔かいクッション体１０２を配置したクッション構造が知られている。
【０００４】
更に、従来、図７に示すように、体圧が集中する部分には小さな反発力をもって体圧を支えるクッション体を使用し、このクッション体に隣接して、このクッション体よりも大きな反発力をもつクッション体を配置するクッション構造も知られている（特許文献１参照）。
【特許文献１】特開平９−５１９１８号公報
【発明の開示】
【発明が解決しようとする課題】
【０００５】
ところで、着席した場合に、椅子の座部に作用する体圧は万人が同じではない。
そのため、前記従来のように、単に平板状のクッション体を積層したものや平面内において部分的にクッション体の硬さを変えたものにおいては万人の体圧を良好に分散させることは困難である。
【０００６】
そこで本発明は、第１のクッション体の表面を万人に略共通するラインの基本面とし、この第１のクッション体の上面に、着座した人によって前記基本面より微妙な体圧のズレやサイズの違いを吸収するための、前記第１のクッション体よりも柔かい第２のクッション体を設けて、種々な体形の人においても体圧分散が良好に行える椅子のクッション構造を提供することを目的とするものである。
【課題を解決するための手段】
【０００７】
前記の課題を解決するために、請求項１記載の発明は、上面を着席した際の臀部から膝までの基本ラインに沿った波状の曲面に形成した第１クッション体と、該第１クッション体の上面に重ね合わされた第２クッション体を有し、前記第１クッション体と、第２クッション体を、後者が前者よりも柔かい材質で形成し、
前記第１クッション体の上面の後部に、前方から後方に向かって立上がる立上がり面を設け、
前記第２クッション体における臀部が位置する部分の上面に、左右方向の切り込みを形成し、該切り込みを、臀部が位置する部分の前半部と後半部に、それぞれ前後方向に適宜間隔を有して複数本形成し、前半部の切り込みの前側壁面を垂直面に、後側壁面を下方に至るにつれて前側に傾斜する傾斜面に形成し、後半部の切り込みの後側壁面を垂直面に、前側壁面を下方に至るにつれて後側に傾斜する傾斜面に形成したことを特徴とするものである。
【０００８】
本発明においては、第１クッション体の上面に形成した基本ラインと着座者の着座ラインとに微妙なズレやサイズの相違が生じた場合に、このズレやサイズの相違部分を柔かい第２クッション体で埋めて、体圧を良好に分散することができる。
また、着席状態において臀部がズレた際に、そのズレに追従して第２クッション体の上面部も移動する。
また、着席者が背を背もたれ側へ倒した場合や前屈みした場合の臀部のズレに第２クッション体の上面部を良好に追従させることができる。
【０００９】
請求項２記載の発明は、請求項１記載の発明において、前記第１クッション体を高硬度ウレタンで形成し、前記第２クッション体を低硬度ウレタンで形成したものである。
本発明においても前記と同様の作用を発揮する。
【００１０】
請求項３記載の発明は、請求項１又は２記載の発明において、前記第１クッション体内に、大腿部から膝部が当る部分に位置して空胴部を形成したものである
本発明においては、更に、大腿部から膝裏への圧力を逃すことができる。
【発明の効果】
【００１５】
本発明によれば、体圧分散が良好で座り心地の良いクッション構造を提供できる。
また、着席状態において臀部がズレた際に、第２クッション体の上面部も追従移動し、座り心地を一層良好にすることができる。
【００１６】
請求項３記載の発明によれば、更に、大腿部から膝裏への圧力を逃し、一層座り心地のよいクッション構造を提供できる。
【発明を実施するための最良の形態】
【００１７】
本発明を実施するための最良の形態を図１乃至図４に示す実施例に基づいて説明する。
図１は本発明のクッション構造を用いた椅子の略側断面図で、椅子の本体１は、座部２と背もたれ部３とからなる。
【００１８】
前記座部２上には第１クッション体４が配置され、該第１クッション体４の上面に第２クッション体５が重ね合わされている。この第１クッション体４と第２クッション体５による複合構造により本発明のクッション構造を構成している。
【００１９】
更に、前記第２クッション体５の上面に、巻きウレタンからなる第３のクッション体６が重ね合わされているが、この第３クッション体６は必ずしも必要ではない。そして、これらのクッション体４、５、６は表装材７で被覆されている。
【００２０】
次に、前記第１クッション体４について図２及び図４より説明する。
該第１クッション体４の上面４ａは、人が着席した場合に、万人に略共通する臀部から膝までのライン（基本ライン）に似た曲線に形成されている。すなわち、前後方向（Ｘ側が椅子の前側であり、Ｙ側が椅子の後側）の波状に形成されている。
【００２１】
より詳しくは、着席者の臀部が位置する後部に、上側に中心を有する曲面からなる凹面４ｂが形成され、大腿部が位置する前部に、下側に中心を有する曲面からなる凸面４ｃが形成され、更に、前記凹面４ｂの後部が、後方に至るにつれて半径が小さくなる複合曲面で形成された立上がり面４ｄに形成され、凹面４ｂから前記凸面４ｃとが緩やかな曲面４ｅで連続され、更に、凸面４ｃの前端部は下降する曲面４ｆで形成されている。これらの曲面は左右方向（Ｚ方向）において同様に形成されている。
【００２２】
更に、前記凸面４ｃの内部には、左右方向Ｚに貫通する空胴４ｇが形成されている。
更に、第１クッション体４の下面４ｈは前後方向ＸＹ及び左右方向Ｚにおいて平面に形成されている。
【００２３】
次に、前記第２クッション体について図３及び図４により説明する。
第２クッション体５の下面５ａは、前記第１クッション体４の上面４ａの曲面と合致する曲面に形成されている。すなわち、前記第１クッション体４の凹面４ｂに合致する凸面５ｂと、凸面４ｃに合致する凹面５ｃと、更に、前記立上がり面４ｄに合致する立上がり面５ｄと、前記曲面４ｅと合致する曲面５ｅと、前記曲面４ｆと合致する曲面５ｆとからなる。
【００２４】
この第２クッション体５は、前記第１クッション体４の上面４ａの全面にわたって重なる大きさに形成され、その曲面は左右方向Ｚにおいて同様に形成されている。
【００２５】
更に、第２クッション体５の上面５ｈは、この第２クッション体５を第１クッション体４に重ね合わせた状態において、所望の傾斜面の座面になるように形成されている。図の実施例では略水平面になるように形成されている。
【００２６】
したがって、第２クッション体５は、その凸面５ｂが厚肉で、凹面５ｃ部が薄肉で、曲面５ｆ部が厚肉に形成され、図４に示すように、第２クッション体５を第１クッション体４に重ね合わせた状態では、これらによる肉厚Ｈが全面において略同一肉厚になるようになっている。
【００２７】
更に、第２クッション体５の上面５ｈ側には、着席した際に臀部が位置する部分、すなわち、凸面５ｂ部の上面側において、左右方向Ｚの切込み６ａ〜６ｄが形成されている。該切り込み６ａ〜６ｄは第２クッション体５の左右方向の全長にわたって形成され、前後方向に複数本、図の例では４本並行して形成されている。
【００２８】
前記切り込み６ａ〜６ｄのうち、臀部が位置する部分の前半部の切り込み６ａと６ｂは、前側壁面６ｅが垂直面に形成され、後側壁面６ｆが下方に至るにつれて前側に傾斜する傾斜面に形成され、また、後半部に位置する切り込み６ｃ、６ｄは、前側壁面６ｇが下方に至るにつれて後側に傾斜する傾斜面に形成され、後側壁面６ｈが垂直面に形成されている。
【００２９】
前記第１クッション体４は高硬度ウレタンなどからなる硬質のクッション材で形成され、前記第２クッション体５は、前記第１クッション体４よりも柔かい低硬度ウレタンなどからなる軟質のクッション材で形成されている。
【００３０】
次に作用について説明する。
図１及び図４に示すように第１クッション体４と第２クッション体５を重ね合わせて座部を構成した状態で、人が着席すると、その臀部は第１クッション体４の凹面４ｂ部に位置し、大腿部が第１クッション体４の凸面４ｃ部に位置し、膝裏が第１クッション体４の曲面４ｆに位置する。
【００３１】
この着席状態においては、第１クッション体４の上面４ａは万人の基本ラインに形成されているが、この基本ラインと着席者個人のラインとは必ずしも合致せず、この個人のラインと基本ラインとには微妙なズレやサイズの相違が生じる。このとき、第１クッション体４の上面に第１クッション体４よりも柔かい第２クッション体５が重ね合わされているため、前記のズレやサイズの相違部分が第２クッション体５で埋められる。したがって、このズレやサイズの相違部分においても体圧分散が行われ、着席面全体の体圧分散が良好に行われる。
【００３２】
また、第１クッション体４に空胴部４ｇを形成したことにより、大腿部から膝部への圧迫（圧力）を逃すことができる。
【００３３】
また、第１クッション体４における凹面４ｂの後部に立上がり面４ｄが形成されているため、着席者の骨盤の傾きが抑えられ、直立姿勢に近い脊椎Ｓ字カーブを維持するとともに猫背を防止する。すなわち、骨盤が回転しないように支えられ、骨盤から背骨が理想的ラインに保たれる。
【００３４】
また、曲面４ｅにより、着席時において臀部が前側に滑るのを防止することができる。
次に本発明のクッション構造と従来の図７に示すクッション構造の体圧分散の実験結果を図５乃至図８に基づいて説明する。
【００３５】
本発明のクッション構造１を図５に示すように、Ｓ組バネ１０で支持し、上部に厚さ１８ｍｍの第３クッション体６を載置して層厚１１８ｍｍとし、第３クッション体６の上面に着席した。
【００３６】
また、比較例として、図７に示すようにＳ組バネ１０で本発明の第１クッション体４と同材の平板状の第１クッション体１０１を支持し、その上に本発明の第２クッション体５と同材の平板状の第２クッション体１０２を重ね、更に前記の第３クッション体６と同材、同厚の第３クッション体６を重ね、第３クッション体６の上面に着席した。
【００３７】
図７に示す比較例の体圧分布は、図８に示す状態であった。この図８において、Ａは１０〜２０ｍｍＨｇの部分を示し、Ｂは２０〜３０ｍｍＨｇの部分を示し、Ｃは３０〜６０ｍｍＨｇの部分を示し、Ｄは６０〜８０ｍｍＨｇの部分を示し、Ｅは８０〜１００ｍｍＨｇの部分を示す。
【００３８】
この分布を体の部位別の値で示すと、仙骨＝５８．６ｍｍＨｇ、座骨＝８５．２ｍｍＨｇ、大腿部＝５１ｍｍＨｇ、下腿＝２５ｍｍＨｇ、膝裏＝１６．９ｍｍＨｇであった。
【００３９】
図５に示す本発明における体圧分布は、図６に示す状態であった。この図６において、Ａ〜Ｄは前記図８に示すＡ〜Ｄの値と同様である。本発明においては、前記比較例でみられたＥの値の部分は生じなかった。
【００４０】
この分布を体の部位別の値で示すと、仙骨＝５１．３ｍｍＨｇ、座骨＝７４．９ｍｍＨｇ、大腿部＝４６．１ｍｍＨｇ、下腿＝１９．３ｍｍＨｇ、膝裏＝１０．７ｍｍＨｇであった。
【００４１】
以上の結果から、比較例においては、座骨部において際立った大きな体圧が発生しているのに対し、本発明においては、仙骨部、座骨部、大腿部において略平均的な体圧となっていることが分かる。
【００４２】
また、以上のことから、本発明においては次のようなことがいえる。
（１）比較例に比べて、臀部の潰れが小さく、座面とお尻の接触面積が広くなり、小さい値で平均に分散する傾向にある。
（２）座骨回りの局部的な圧力値が低いことから、局部的な痺れが軽減される傾向にある。
（３）座骨の２箇所を支点として大腿部、膝裏へと圧力分散をしているので、下肢への負担を軽減している。
【００４３】
次に、本発明における第２クッション体５に形成した切り込み６ａ〜６ｄの作用について説明する。
【００４４】
人が着席してその臀部が第２クッション体５を加圧した状態において、背を背もたれ側へ倒した場合には臀部が前側へズレ、また、前屈みした場合は臀部が後ろ側へズレる。このとき、前記のように切り込み６ａ〜６ｄが形成されていることにより、第２クッション体５における臀部の位置する部分が、臀部の前記のズレに容易に追従し、座り心地を良くする。
【００４５】
特に切り込み６ａ〜６ｄを、前記のような形状に形成したので、前側の切り込み６ａ、６ｂにおいては、その、垂直面からなる前側壁面６ｅが傾斜面からなる後側壁面６ｆに比べて応力が小さいため、前側壁面６ｅが後方へ倒れる。また、後側の切り込み６ｃ、６ｄにおいては、その垂直面からなる後側壁面６ｈが傾斜面からなる前側壁面６ｇに比べて応力が小さいため、後側壁面６ｈが前側へ倒れる。したがって、臀部が位置する部分の第２クッション体５の上面部が臀部のズレにより容易に変形追従し、一層座り心地を良くする。
【００４６】
なお、前記実施例においては、第２クッション体５をその下面５ａを前記のような波形にし、上面５ｈを平面に形成したが、この第２クッション体５は、前記のように、基本ラインと個人ラインとの相違部を埋めるのに必要な厚さであれば、形状、厚みを問わない。
【図面の簡単な説明】
【００４７】
【図１】本発明の実施例を示す椅子の略側断面図。
【図２】本発明における第１クッション体の斜視図。
【図３】本発明における第２クッション体の斜視図。
【図４】本発明のクッション構造を示す側面図。
【図５】体圧分布測定に用いた本発明の構造を示す図。
【図６】図５の構造における体圧分布図。
【図７】体圧分布測定に用いた従来構造を示す図。
【図８】図７の構造における体圧分布図。
【符号の説明】
【００４８】
１              椅子
４              第１クッション体
４ａ            第１クッション体の上面
４ｇ            空洞部
５              第２クッション体
【図１】
0004733362.tif 000002
【図２】
0004733362.tif 000003
【図３】
0004733362.tif 000004
【図４】
0004733362.tif 000005
【図５】
0004733362.tif 000006
【図６】
0004733362.tif 000007
【図７】
0004733362.tif 000008
【図８】
0004733362.tif 000009